(57)【要約】変化するドップラー及び／又は移動度の存在の下で望ましい復号器を効率的に選択する技法が開示される。一つの面において、無線通信ネットワークにおける順方向リンク（ＦＬ）の情報を復号化するためのフィルターを選択する方法は、各々が異なるパラメータに基づいて最適化された複数の復号器によって逆方向リンク（ＲＬ）の情報を復号化する動作、および、アクセス端末に通知するために望ましい復号器またはパラメータを決定するために、一のメトリックに基づいて、該複数の復号器からの複数の出力を比較する動作を備える。
2008526120.tif 000002
【特許請求の範囲】
【請求項１】
無線通信ネットワーク内の順方向リンクの情報を復号化するためのフィルターを選択するための方法、下記を備える；
各々がパラメータの異なる集合に基づいて最適化されている複数の復号器により逆方向リンクの情報を復号化すること、および
一のメトリックに基づいて複数の復号器からの複数の出力を比較し、それによって望ましい復号器を決定する。
【請求項２】
該復号器は同様のアーキテクチャーを有する請求項１記載の方法。
【請求項３】
該パラメータの集合は、アクセス端末に関するドップラー情報を提供するパラメータを更に備える請求項１記載の方法。
【請求項４】
該パラメータの集合はアクセス端末に関する移動度情報を提供するパラメータを更に備える請求項１記載の方法
【請求項５】
成功裡に復号化されたパケットのレート、および、成功裡に復号化されたパケットの最高のレートに対応する望ましい復号器を該メトリックは更に備える請求項１記載の方法。
【請求項６】
ＣＲＣチェックサム、および最高のＣＲＣチェックサムに対応する該望ましい復号器を該メトリックが更に備える請求項１記載の方法。
【請求項７】
順方向リンクの情報を復号化するためにアクセス端末に該望ましい復号器に関する情報を送ることを更に備える請求項１記載の方法。
【請求項８】
望ましい復号器を識別する情報を受信すること、該望ましい復号器を用いて順方向リンク情報を復号化することを備えた、無線通信ネットワークにおいて順方向リンクの情報を復号化する方法
【請求項９】
情報を受信することは、該望ましい復号器を最適化するためのパラメータの集合を受信することを更に備える請求項８記載の方法。
【請求項１０】
該パラメータの集合はアクセス端末に関するドップラー情報を提供するパラメータを更に備える請求項８記載の方法。
【請求項１１】
該パラメータの集合は、アクセス端末に関する移動度情報を提供するパラメータを更に備える請求項８記載の方法。
【請求項１２】
フィルターの選択を改善するために、アクセスポイントに対し、該望ましい復号器に関するフィードバック情報を提供することを更に備える請求項８記載の方法。
【請求項１３】
該望ましい復号器を識別する該情報がアクセスポイントにおいて決定されるパラメータの集合を更に備える請求項８記載の方法。
【請求項１４】
無線通信ネットワークにおいて順方向リンクの情報を復号化するためのフィルターを選択するための装置、下記を備える；
各々がパラメータの異なる集合に基づいて最適化された複数の復号器により、逆方向リンクの情報を復号化する手段、および
一のメトリックに基づいて複数の復号器からの複数の出力を比較し、それによって望ましい復号器を決定する手段。
【請求項１５】
該複数の復号器が同様のアーキテクチャーを有する請求項１４記載の装置。
【請求項１６】
該パラメータの集合がアクセス端末に関するドップラー情報を提供するパラメータを更に備える請求項１４記載の装置。
【請求項１７】
該パラメータの集合は、アクセス端末に関する移動度情報を提供するパラメータを更に備える請求項１４記載の装置。
【請求項１８】
成功裡に復号化されたパケットのレート、および成功裡に復号化されたパケットの最高のレートに対応する望ましい復号器を該メトリックは更に備える請求項１４記載の装置。
【請求項１９】
ＣＲＣチェックサム、および最高のＣＲＣチェックサムに対応する該望ましい復号器を該メトリックは更に備える請求項１４記載の装置。
【請求項２０】
順方向リンクの情報を復号化するためにアクセス端末に対して該望ましい復号器に関する情報を送る手段を更に備える請求項１４記載の装置。
【請求項２１】
望ましい復号器を識別する情報を受信するための手段、および該望ましい復号器を用いて順方向リンクの情報を復号化するための手段を備えた、無線通信ネットワークにおいて順方向リンクの情報を復号化する装置。
【請求項２２】
情報を受信するための手段が該望ましい復号器を最適化するためのパラメータの集合を受信するための手段を更に備える請求項２１記載の装置。
【請求項２３】
該パラメータの集合がアクセス端末に関するドップラー情報を提供するパラメータを更に備える請求項２１記載の装置。
【請求項２４】
該パラメータの集合がアクセス端末に関する移動度情報を提供するパラメータを更に備える請求項２１記載の装置。
【請求項２５】
フィルターの選択を改善するためにアクセスポイントに対して該望ましい復号器に関するフィードバック情報を提供するための手段を更に備える請求項２１記載の装置。
【請求項２６】
該望ましい復号器を識別する該情報が、アクセスポイントにおいて決定されるパラメータの集合を更に備える請求項２１記載の装置。
【請求項２７】
無線通信ネットワークにおいて順方向リンクの情報を復号化するためのフィルターを選択する方法を実現するための手段を具現化するコンピュータ読み取り可能媒体、該方法は下記を備える；
各々がパラメータの異なる集合に基づいて最適化された複数の復号器によって逆方向リンクの情報を復号化すること、および
一のメトリックに基づいて複数の復号器からの複数の出力を比較し、それによって望ましい復号器を決定する。
【請求項２８】
該複数の復号器は同様のアーキテクチャーを有する請求項２７記載の媒体。
【請求項２９】
該パラメータの集合はアクセス端末に関するドップラー情報を提供するパラメータを更に備える請求項２７記載の媒体。
【請求項３０】
該パラメータの集合はアクセス端末に関する移動度情報を提供するパラメータを更に備える請求項２７記載の媒体。
【請求項３１】
成功裡に復号化されたパケットのレート、および成功裡に復号化されたパケットの最高のレートに対応する該望ましい復号器を、該メトリックが更に備える請求項２７記載の媒体。
【請求項３２】
ＣＲＣチェックサム、および最高のＣＲＣチェックサムに対応する該望ましい復号器を、該メトリックが更に備える請求項２７の媒体。
【請求項３３】
順方向リンクの情報を復号化するためにアクセス端末に対して該望ましい復号器に関する情報を送ることを更に備える請求項２７記載の媒体。
【請求項３４】
望ましい復号器を識別する情報を受信すること、および該望ましい復号器を用いて順方向リンクの情報を復号化することを備え、無線通信ネットワークにおいて順方向リンクの情報を復号化するための方法を実現するための手段を具現化するコンピュータ読み取り可能媒体。
【請求項３５】
情報を受信することが該望ましい復号器を最適化するためのパラメータの集合を受信することを更に備える請求項３４記載の媒体。
【請求項３６】
該パラメータの集合は、アクセス端末に関するドップラー情報を提供するパラメータを更に備える請求項３４記載の媒体。
【請求項３７】
該パラメータの集合は、アクセス端末に関する移動度情報を提供するパラメータを更に備える請求項３４記載の媒体。
【請求項３８】
フィルターの選択を改善するためにアクセスポイントに対して該望ましい復号器に関するフィードバック情報を提供することを更に備える請求項３４記載の媒体。
【請求項３９】
該望ましい復号器を識別する該情報は、アクセスポイントにおいて決定されるパラメータの集合を更に備える請求項３４記載の媒体。
【請求項４０】
無線通信ネットワークにおいてアクセス端末により順方向リンクの情報を復号化するためのフィルターを選択するためのアクセスポイント、下記を備える；
各々がパラメータの異なる集合に基づいて最適化されており、逆方向リンクの情報を受信する複数の復号器、
一のメトリックに基づいて望ましい復号器を決定するように構成するプロセッサ、および、
該アクセス端末に該望ましい復号器に関する情報を送信するように構成された送信機。
【請求項４１】
無線通信ネットワークにおいて順方向リンクの情報を復号化するためのアクセス端末、下記を備える；
望ましい復号器を識別する情報を受信するように構成された受信機、
各々がパラメータの異なる集合に基づいて最適化されている複数の復号器、および
望ましい復号器を識別する受信された情報に基づいて順方向リンクの情報を復号化するために、該望ましい復号器を選択するように構成されたプロセッサ。
【請求項４２】
無線通信ネットワークにおいてアクセス端末により順方向リンクの情報を復号化するためのフィルターを選択するためのアクセスポイント、下記を備える；
パラメータの異なる集合に基づいて逆方向リンクの情報を復号化するように構成された復号器、
一のメトリックに基づいて一の復号器を識別する望ましいパラメータの集合を決定するように構成されたプロセッサ、および
該アクセス端末に該望ましいパラメータの集合を送信するように構成された送信機。
【請求項４３】
望ましい復号器を識別する望ましいパラメータの集合を受信するように構成された受信機、および
順方向リンクの情報を復号化すること、および該受信された望ましいパラメータの集合に基づいて最適化されることが可能な復号器、
を備えた、無線通信ネットワークにおいて順方向リンクの情報を復号化するためのアクセス端末。
【請求項４４】
無線通信ネットワークにおいて、順方向リンクの情報を復号化するためのフィルターを選択するための方法を実現するようにプログラムされた少なくとも一つのプロセッサ、該方法は下記を備える；
パラメータの異なる集合に基づいて逆方向リンクの情報を復号化すること、
一のメトリックに基づいて前記復号化からの複数の出力を比較し、それによって望ましい復号器を決定すること。
【請求項４５】
無線通信ネットワークにおいて順方向リンクの情報を復号化するための方法を実現するようにプログラムされた少なくとも一つのプロセッサ、該方法は下記を備える；
望ましい復号器を識別する情報を受信すること、および
該受信した情報を用いて順方向リンクの情報を復号化すること。
【発明の詳細な説明】
【技術分野】
【０００１】
本発明は一般的には通信、更に特には通信システムにおける復号器の選択に関する技法に関する。
【背景技術】
【０００２】
音声、パケットデータ等の様々な通信サービスを提供するために、通信システムは広範に展開されている。これらのシステムは、利用可能なシステム・リソースを共有することにより、同時に複数のユーザーとの通信をサポートすることが可能な時分割、周波数分割および／または符号分割多重アクセスシステムであることが可能である。そのような多重アクセスシステムの例は、符号分割多重アクセス（ＣＤＭＡ）システム、多重キャリアＣＤＭＡ（ＭＣ−ＣＤＭＡ）、広帯域ＣＤＭＡ（Ｗ−ＣＤＭＡ）、ハイスピード・ダウンリンク・パケット・アクセス（ＨＳＤＰＡ）、時分割多重アクセス（ＴＤＭＡ）システム、周波数分割多重アクセス（ＦＤＭＡ）システム、および直交周波数分割多重アクセス（ＯＦＤＭＡ）システムを含む。
【０００３】
通信システムは、送信された情報を推定するための復号器を採用することが可能である。従って、当該技術分野においては、変化するドップラーおよび／または移動度が存在する下で、高信頼に動作するフィルターまたは復号器の選択のための技法に対する需要が存在する。
【発明の開示】
【０００４】
[発明の概要]
変化するドップラー及び／または移動度が存在する下で効率的に一の復号器を選択する技法が開示される。ある一つの面においては、無線通信ネットワークにおいて順方向リンク（ＦＬ）の情報を復号化するためのフィルターを選択する方法は、各々が異なるパラメータに基づいて最適化された複数の復号器によって逆方向リンク（ＲＬ）の情報を復号化し、一のメトリックに基づいて該複数の復号器からの複数の出力を比較して、アクセス端末に報告するための一の復号器またはパラメータを決定する挙動を含む。
【０００５】
[詳細な説明]
全体を通して、同様の参照文字が対応するものとして同一とみなすような図面と共に理解する際に、以下に開示された詳細な説明から、本発明の特徴と性質はより明らかとなるだろう。「例示的(exemplary)」という言葉は、ここで「１つの例、実例、または例証としての役割を果たすこと」を意味するように使用される。どのような実施形態または設計もここでは「例示」として説明され、必ずしも他の実施形態または設計よりも好ましい、または有利であるとして解釈されるべきものとは限らない。
【０００６】
以下に開示された実施例は、アクセス端末（ＡＴ）のための、アクセスポイントによって補助されたドップラー／移動度ベースのフィルターの選択の方法とシステムを提供する。性能を改善するために、ＲＬ情報の復号化のために用いられるフィルターはユーザーのドップラー／移動度に基づいて調整されることが可能である。ドップラー推定のための一実施例においては、同一の受信されたパケットが、毎回異なるドップラー周波数で調整されたフィルターを用いて複数回にわたり復号化されるような、ＡＰにおける復号化の複数の仮説を用いることが可能である。一の時間のウィンドウにわたって一のパケットまたはパケットの集合を成功裡に復号化するフィルターは現在のドップラーのための望ましい選択を表す。複数のフィルターが結果として成功裡の復号化を行った場合には、一のフィルターをランダムに選び取る、成功した復号化の中からドップラーの中央値についてのフィルターを選び取る、最高の誤り訂正符号の対数尤度比のような最良のソフト情報についてのフィルターを選び取る、またはデータを再符号化し、望ましいフィルターを見つけるためにあるメトリックに基づいて異なる出力を比較する等の幾つかの方法の一つが、望ましいフィルターを選択するために用いられることが可能である。
【０００７】
一の実施例においては、複数の仮説の復号化はフィルターの選択のための一つの方法を提供する。しかしながら、アクセス端末（ＡＴ）により用いられるには、この方法は計算的に複雑すぎる可能性がある。他方で、該アクセス・ポイント（ＡＰ）は、ドップラー・ベースのフィルターを選択するための複数の復号化を実行する計算能力を有している可能性がある。一の実施例においては、該アクセス・ポイントは、逆方向リンク（ＲＬ）のトラフィックに基づいてｓ個の望ましいフィルターを決定し、該アクセス端末に該フィルターまたはその識別子を通知することが可能である。該アクセス端末は、順方向リンク（ＦＬ）の情報を復号化するために選択されたフィルターを用いることが可能である。
【０００８】
アクセス端末とは、ユーザーに対する音声および／またはデータの接続性を提供する装置を指す。一のアクセス端末は、ラップトップ・コンピュータやデスクトップ・コンピュータのようなコンピューティング・デバイスに接続されることが可能であり、あるいは、それはパーソナル・デジタル・アシスタントのような内蔵型のデバイスであることが可能である。アクセス端末は、加入者ユニット、モバイル・ステーション、モバイル、リモート・ステーション、リモート端末、ユーザー端末、ユーザー・エージェント、またはユーザー装置と呼ばれることも可能である。アクセス端末は加入者ステーション、無線デバイス、セルラー電話、ＰＣＳ電話、コードレス電話、セッション・イニシエーション・プロトコル（ＳＩＰ）電話、無線ローカル・ループ（ＷＬＬ）ステーション、パーソナル・デジタル・アシスタント（ＰＤＡ）、無線接続能力を有するハンドヘルド・デバイス、または無線モデムに接続された他の処理デバイスであることが可能である。
【０００９】
アクセス・ポイントとは、該アクセス端末と一または複数のセクターを通してエアー・インターフェイスを介して通信するアクセス・ネットワークの中の装置を指す。受信されたエアー・インターフェイス・フレームをＩＰパケットに変換することによって、アクセスポイントは、アクセス端末とＩＰネットワークを含みうるアクセス・ネットワークのそれ以外の部分との間のルータとして振る舞う。アクセス・ポイントは該エアー・インターフェイスの属性の管理を調整することも行う。
【００１０】
図１は、一のデータシンボルのためのチャネル応答を推定するためのパイロットシンボルをスケールするための一実施例を示す。図１Ａは、一のデータシンボル１０２が幾つかのパイロットシンボル、例えば6個のパイロットシンボルによって取り囲まれているような一実施例を表している。該パイロットシンボルは該データシンボルからの時間空間、周波数空間、時間−周波数空間、および／または符号空間の中に配置されることが可能である。該パイロットシンボルは一般的にアクセスポイント（ＡＰ）、および／またはアクセス端末（ＡＴ）にとって既知であることが可能であり、結果的にそれらの受信された値は該送信されたデータシンボルに関するチャネル応答を判別する（推定する）ために使われることが可能である。一の実施例では、一のデータシンボルを取り囲む幾つかのパイロットシンボルが、それらの相対的な時間、周波数、時間−周波数、符号、及び／または近接のような、該データシンボルに対するそれらの関係に従ってグループ分けされる。例えば、図１Ａにおいて、パイロットシンボルP１とP２は１０４で示される第１のグループG１にグループ分けされ、パイロットシンボルP３とP４は１０６で示される第２のグループG２にグループ分けされパイロットシンボルP５とP６は１０８で示される第３のグループG３にグループ分けされる。
【００１１】
一実施例においては、パイロットシンボルの各グループは該データシンボルとのそれらの共通の関係に基づいてスケールされる。該データシンボルとの第1の関係を有するパイロットシンボルのグループに、第１のスケーリングファクターは割り当てられることが可能であり、該データシンボルとの第２の関係を有するパイロットシンボルのグループに、第２のスケーリングファクターは割り当てられることが可能であり、以下同様である。該第1と該第2の関係が異なる場合には、パイロットシンボルの第１と第２のグループが異なるものであることを、スケーリングファクターの選択は許すことが可能である。一実施例においては、該第1のグループが該データシンボルに対してより近い関係を有している場合には、該第1のスケーリングファクターは該第2のスケーリングファクターよりも大きなマグニチュードを持つ。
【００１２】
例えば、図１Ａにあるように、１．０の第1のスケーリングファクターS１，１はパイロットシンボルの第1のグループＧ１に割り当てられ、０．９の第２のスケーリングファクターS１，２はパイロットシンボルの第2のグループG２に割り当てられ、０．８の第3のスケーリングファクターS１，３はパイロットシンボルの第3のグループG３に割り当てられる。スケーリングファクターの集合S１，１、S１，２、およびS１，３は低いドップラー／移動度、例えば歩行者のユーザーを表すことが可能なW１＝｛S１，１，Ｓ１，２，Ｓ１，３｝により表すことが可能である。同様に、図１Ｂにおけるように、１．０の第１のスケーリングファクターS２，１はパイロットシンボルの第1のグループG１に割り当てられ、０．５の第2のスケーリングファクターＳ２，２はパイロットシンボルの第2のグループG２に割り当てられ、０．２の第3のスケーリングファクターS２，３はパイロットシンボルの第3のグループG３に割り当てられる。スケーリングファクターの集合S２，１、S２，２、およびS２，３はW２＝｛S２，１，Ｓ２，２，Ｓ２，３｝により表されることが可能である。スケーリングファクターの集合W１、および／またはW２は実数、虚数、または複素数の値を含むことが可能である。
【００１３】
一実施例においては、アクセス端末に関するドップラー情報、および／または移動度情報に基づいてスケーリングファクターの少なくとも幾つかが選択されることが可能である。このように、図１Ａは、パイロットシンボルのグループがゆっくりした勾配で変化するスケーリングファクターでスケールされるような、低速で動いている、及び／または低いドップラーのＡＴ（例えば歩行者）のためのシナリオを表し、図１Ｂは、パイロットシンボルのグループが高い勾配で変化するスケーリングファクターでスケールされるような、高速で動いている、及び／または高いドップラーのＡＴ（乗り物）のためのシナリオを表すことが可能である。
【００１４】
一実施例においては、例えばドップラー、スピード、動きの方向等のある変化要因に基づいて、割り当てがリアルタイムで変化することが可能なように、スケーリングファクターのうちの少なくとも一つが動的に割り当てられる。一実施例においては、割り当てが固定されたままでいるように、スケーリングファクターのうちの少なくとも一つが静的に割り当てられることが可能である。
【００１５】
図２はデータシンボルを復号化するための一実施例を示す。第１のステージにおいては例えばユーザーのドップラー、および／または移動度情報に基づいて無線通信ネットワークの中のＲＬ情報を復号化するための一のフィルターが選択される。第２のステージにおいては、該ＡＴはＦＬ情報を復号化するために該選択されたフィルターを用いる。該フィルターの選択はＢＳによって、ＡＴによって、または共同で行われる。
【００１６】
一実施例においては、図２によって示されるように、ＲＬ情報を復号化するためのフィルターの選択のプロセスは、ＡＴからＲＬ情報を受信すること、動作２０２、及び複数の復号器によってＲＬ情報を復号化すること、動作２０４を含む。動作２０４において、一のメトリックに基づいて、該復号器を決定するために、該複数の復号器の出力を比較することにより、該プロセスは継続する。
【００１７】
複数の復号器（フィルター）は、各々がパラメータの異なる集合に基づいて最適化された同様のアーキテクチャを有することが可能である。一実施例においては、該パラメータはアクセス端末に関するドップラー情報を提供する。一実施例においては、該パラメータはアクセス端末に関する移動度情報を提供する。
【００１８】
一実施例においては、例えば、一つの時間のウィンドウに渡って成功裡に復号化されたパケットのレートを含み、該望ましい復号器は、成功裏に復号化されたパケットの最高のレートを生成するものに対応する。一実施例においては、該メトリックはＣＲＣチェックサムを含み、該望ましい復号器は、最高のＣＲＣチェックサムに対応する。
【００１９】
ＦＬ情報を復号化するためにアクセス端末に、動作２０８において受信される該選択された復号器に関する情報を送ることによって、動作２０６において該プロセスは継続することが可能である。
【００２０】
図３は、例えば、アクセス端末のドップラーおよび／または移動度の変化の率に基づいて、一の復号器を選択するための一実施例を示す。一実施例においては、二つ、またはそれ以上の復号器302から304がＡＴからＲＬ情報を受信し、受信したＲＬ情報を復号化する。復号器302から304の各々はＡＴの少なくとも一つの特性に対応することが可能なパラメータの一意的な集合により最適化されることが可能である。一実施例においては、該複数のフィルターは一のユーザーのドップラー及び／又は移動度の異なるレベルに関して最適化される。例えば、図１Ａに示すような低いドップラー及び／又は移動度のユーザーに対応することが可能なスケーリングファクターの集合Ｗ１＝｛Ｓ１，２，Ｓ１，２，Ｓ１，３｝によりフィルター302は最適化され、図１Ｂに示すような高いドップラー及び／又は移動度に対応することが可能なスケーリングファクターの集合Ｗ２＝｛Ｓ２，１，Ｓ２，２，Ｓ２，３｝によりフィルター304は最適化される。一般的に、Ｗ１とＷ２の間の範囲に収まるパラメータにより最適化される、より多くのフィルターが用いられることが可能である。代替的に、該フィルターの複数のインスタンスを取得し、比較のために複数の出力を生成し、そしてＦＬデータの復号化のために該フィルターのインスタンスを選択するために、毎回パラメータの異なる集合に基づいて、一のＡＰは単一のフィルターを最適化することが可能である。
【００２１】
例えば、低いドップラー及び／又は移動度、または高いドップラー及び／又は移動度のどちらに関連付けられているか等のＲＬ情報の特性に依存して、302から304の該複数のフィルターの一つは、該受信したデータパケットをより成功裡に復号化することが可能である。例えば、復号器３０２について、成功裡に復号化されたパケットの最高のレートが５０％であり、復号器３０４について、成功裡に復号化されたパケットの最低のレートが２０％である場合、復号器３０２が最良の復号器であると判定される。低いドップラー／移動度ユーザーに対応するパラメータの集合Ｗ１によってフィルター３０２が最適化されていたということを知るならば、該フィルターのより高い成功裡のレーティングは、ＲＬ情報が復号化されたユーザーが、低いドップラー／移動度のユーザー、例えば歩行者のユーザーであることを表している。
【００２２】
図２に戻ると、最良のフィルターに関する受信された情報、即ち、該ユーザーが例えば歩行者のような低いドップラー／移動度なのか、それとも例えば乗り物ユーザーのような高いドップラー／移動度なのか、を表す情報に基づいて、動作210において該ＡＴは該ＦＬ情報を復号化する。一実施例においては、最良のフィルターに関する受信された情報に基づいて、該ＡＴは複数の復号器の中の一つを選択する。代替的に、最良のフィルターに関するパラメータ、および／または該受信された情報に基づいて、該ＡＴは一の復号器を最適化し、該ＡＴは、該フィルターの最適化されたインスタンスを用いて該ＦＬ情報を復号化する。
【００２３】
例えば、図4において、例えばパラメータの集合｛Ｗ１＝｛Ｓ１，１，Ｓ１，２，Ｓ１，３｝，Ｗ２＝｛Ｓ２，１，Ｓ２，２，Ｓ２，３｝，…｝のような望ましいフィルターを識別する情報４０２、または例えばＷ１のような特定のパラメータの集合が最良のフィルターを定義する旨の表示をＡＴが受信した後に、該ＡＴは例えばスイッチ４０８を介して、これもまたＷ１＝｛Ｓ１，１，Ｓ１，２，Ｓ１，３｝で最適化されているフィルター４０４を選択する。代替的に、最良のフィルターを定義しているパラメータの集合Ｗ１＝｛Ｓ１，１，Ｓ１，２，Ｓ１，３｝をＡＴが受信した後に、該ＡＴは一のフィルターをＷ１＝｛Ｓ１，１，Ｓ１，２，Ｓ１，３｝で最適化し、該フィルターの該最適化されたインスタンスを用いて受信したＦＬ情報を復号化する。
【００２４】
図２に戻ると、フィルターの選択について改善するために、復号化されたＦＬパケットの成功の率を表示するフィードバックを該ＡＴは該ＡＰに対して送ることが可能である。
【００２５】
図５は、アクセスポイント１１０ｘとアクセス端末１２０ｘのブロック図を示している。逆方向リンクに関して、アクセス端末１２０ｘにおいては、送信（ＴＸ）データプロセッサ５１４は、データバッファー５１２からトラフィックデータを受信し、選択された符号化及び変調の方式に基づいて各データパケットを処理し（例えば、符号化し、インタリーブし、そしてシンボルマップし）、そしてデータシンボルを提供する。データシンボルはデータに関する変調シンボルであり、パイロットシンボルはパイロット（これは先験的に知られている）に関する変調シンボルである。変調器５１６はデータシンボル、パイロットシンボル、そして場合によっては逆方向リンクに関するシグナリングを受信し、（例えばＯＦＤＭのような）変調、及び／又はシステムによって指定される他の処理を実行し、出力チップのストリームを提供する。送信器（ＴＭＴＲ）５１８は、該出力チップストリームを処理し（例えば、アナログに変換し、フィルターし、増幅し、そして周波数アップコンバートし、）、そしてアンテナ５２０から伝送される変調された信号を生成する。
【００２６】
アクセスポイント１１０ｘにおいて、アクセス端末１２０ｘおよび他の端末によってアクセスポイント１１０ｘと通信しながら伝送された変調された信号はアンテナ５５２によって受信される。受信器（ＲＣＶＲ）５５４はアンテナ５５２から受信した受信した信号を処理し（例えば、調整し、デジタル化し）、そして受信されたサンプルを提供する。復調器（Ｄｅｍｏｄ）５５６は、受信されたサンプルを処理し（例えば、復調し、検出し）、そしてＡＰ１１０ｘに対して該端末によって伝送されるデータシンボルの雑音を含む推定である検出されたデータシンボルを提供する。受信（ＲＸ）データプロセッサ５５８は、各端末に関して検出されたデータシンボルを処理し（例えば、シンボルデマップし、逆インタリーブし、そして復号化し）、そしてその端末に関する復号化されたデータを提供する。
【００２７】
順方向リンクに関して、ＡＰ１１０ｘにおいては、トラフィックデータは、データシンボルを生成するためにＴＸデータプロセッサ５６０によって処理される。変調器５６２は、データシンボル、パイロットシンボル、そして順方向リンクに関するシグナリングを受信し、（例えばＯＦＤＭのような）変調、及び／又は他の関連する処理を実行し、そして送信器５６４によって更に調整され、アンテナ５５２から伝送される出力チップのストリームを提供する。順方向リンクシグナリングはＡＰ１１０ｘに対して逆方向リンク上で伝送している全ての端末に関するコントローラ５７０によって生成される電力制御コマンドを含むことが可能である。ＡＴ１２０ｘにおいて、ＡＰ１１０ｘによって伝送される変調された信号は、アンテナ520によって受信され、受信器５２２によって調整され、デジタル化され、検出されたデータシンボルを得るために復調器５２４によって処理される。ＲＸデータプロセッサ１０２６は、検出されたデータシンボルを処理し、端末と順方向リンクシグナリングのために復号化されたデータを提供する。コントローラ５３０は、電力制御コマンドを受信し、ＡＰ１１０ｘに対する逆方向リンク上でのデータ伝送と伝送電力を制御する。図１から図４に関連して上記で議論したように、最良のフィルターを判定する、最良のフィルターについての情報を通知する、および指示されたフィルターを用いて情報を復号化する等のＡＴ１２０ｘとＡＰ１１０ｘの動作をコントローラ５３０と５７０は、各々指示する。メモリーユニット５３２と５７２は、コントローラ５３０と５７０によって各々用いられるプログラムコードとデータを格納する。
【００２８】
開示された実施例は、以下の技術、即ち、符号分割多重アクセス（ＣＤＭＡ）システム、多重キャリアＣＤＭＡ（ＭＣ−ＣＤＭＡ）、ワイドバンドＣＤＭＡ（Ｗ―ＣＤＭＡ）、ハイスピードダウンリンクパケットアクセス（ＨＳＤＰＡ）、時分割多重アクセス（ＴＤＭＡ）システム、周波数分割多重アクセス（ＦＤＭＡ）システム、および直交周波数分割多重アクセス（ＯＦＤＭＡ）システム、の何れか一つまたは組み合わせに対して適用されることが可能である。
【００２９】
ここに記載されたシグナリング伝送技術は多様な手段により実装されることが可能である。例えば、これらの技術はハードウェア、ソフトウェア、またはこれらの組み合わせにより実装されることが可能である。ハードウェアによる実装では、シグナリングを処理する（例えば、圧縮し、符号化する）ために用いられる処理装置は、一又は複数のアプリケーション・スペシフィック集積回路（ＡＳＩＣｓ）、デジタル信号プロセッサ（ＤＳＰｓ）、デジタル信号処理デバイス（ＤＳＰＤｓ）、プログラマブル・ロジック・デバイス（ＰＬＤｓ）、フィールド・プログラマブル・ゲートアレイ（ＦＰＧＡｓ）、プロセッサ、コントローラ、マイクロコントローラ、マイクロプロセッサ、ここに記載された機能を実行するために設計された他の電子装置、またはこれらの組み合わせの中に実装されることが可能である。シグナリングを復号化し、復元するために用いられる処理装置もまた、一又は複数のＡＳＩＣ、ＤＳＰ等によって実装されることが可能である。
【００３０】
ソフトウェアによる実装では、シグナリング伝送技術はここに記載された機能を実行するモジュール（例えば、プロシージャ、関数、等）によって実装されることが可能である。ソフトウェア・コードはメモリーユニット（例えば、図５のメモリーユニット５３２または５７２）に格納され、プロセッサ（例えばコントローラ５３０または５７０）によって実行されることが可能である。該メモリーユニットは、プロセッサの内部またはプロセッサの外部に実装されることが可能である。
【００３１】
開示された実施例の上記記載は、何れの当業者も本発明を製造し使用することを可能とするように提供される。これらの実施例の多様な変形は当業者にとって直ちに明らかであり、ここに定義された一般的な原則は、該発明の思想と範囲から外れることなく他の実施例に対しても適用されることが可能である。このように、本発明はここに示された実施例に限定されることは意図されておらず、ここに開示された原則と新規な特徴と合致する最も広範な範囲が認められる。
【図面の簡単な説明】
【００３２】
【図１Ａ】図１Ａは、データシンボルを推定するためのパイロットシンボルをスケールするための一実施例を示す。
【図１Ｂ】図１Ｂは、データシンボルを推定するためのパイロットシンボルをスケールするためのもう一つの実施例を示す。
【図２】図２は、データシンボルを復号化するための一実施例を示す。
【図３】図３は、アクセス端末のドップラー及び／または移動度の変化の率に基づいて復号器を選択することに関する一実施例を示す。
【図４】図４は、情報を復号化するための一実施例を表す。
【図５】図５は、アクセスポイントとアクセス端末のブロック図を示す。
【符号の説明】
【００３３】
１０２…データシンボル、１０４…パイロットシンボルの第1のグループ、１０６…パイロットシンボルの第２のグループ、１０８…パイロットシンボルの第３のグループ、１１０ｘ…アクセスポイント、１２０ｘ…アクセス端末、２０２…ＡＴからＲＬ情報を受信する動作、２０４…ＢＳがＷ１とＷ２を用いてＲＬ情報を復号化し、Ｗ１とＷ２のうち最良のものを決定する動作、２０６…Ｗ１とＷ２のうち最良のものを送る動作、２０８…ＦＬ情報を復号化するためにアクセス端末に、該選択された復号器に関する情報を転送する動作、２１０…Ｗ１とＷ２のうち、受信された最良のものに基づいて最適化されたフィルターを用いてＡＴがＦＬ情報を復号化する動作、３０２…Ｗ１について最適化された復号器／チャンネル推定器、３０４…Ｗ２について最適化された復号器／チャンネル推定器、４０２…Ｗ１とＷ２のうち最良のもの、４０４…Ｗ１について最適化された復号器／チャンネル推定器、４０６…Ｗ２について最適化された復号器／チャンネル推定器、４０８…スイッチ、５１２…データバッファー、５１４…ＴＸデータプロセッサ、５１６…変調器、５１８…ＴＭＴＲ、５２０…アンテナ、５２２…ＲＣＶＲ、５２４…Ｄｅｍｏｄ、５２６…ＲＸデータプロセッサ、５３０…コントローラ、５３２…メモリー、５５２…アンテナ、５５４…ＲＣＶＲ、５５６…Ｄｅｍｏｄ、５５８…ＲＸデータプロセッサ、５６０…ＴＸデータプロセッサ、５６２…変調器、５６４…ＴＭＴＲ、５７０…コントローラ、５７２…メモリー
【図１Ａ】
2008526120.tif 000003
【図１Ｂ】
2008526120.tif 000004
【図２】
2008526120.tif 000005
【図３】
2008526120.tif 000006
【図４】
2008526120.tif 000007
【図５】
2008526120.tif 000008
【国際調査報告】
2008526120.tif 000009
2008526120.tif 000010
2008526120.tif 000011
2008526120.tif 000012
2008526120.tif 000013